【手続補正書】
【提出日】平成25年9月30日(2013.9.30)
【手続補正１】
【補正対象書類名】特許請求の範囲
【補正対象項目名】全文
【補正方法】変更
【補正の内容】
【特許請求の範囲】
【請求項１】
オフラインによる決済を受け付ける受取側端末から支払側端末に対して送信されたオフラインによる決済にかかる残高変更命令を、該支払側端末から取得する残高変更命令取得手段と、
前記取得した残高変更命令に基づいて、電子バリューの残高を記憶する記憶手段に前記支払側端末に対応付けて管理されている電子バリューの残高を更新する残高更新手段と、
前記取得した残高変更命令に対する、管理されている電子バリューの残高変更応答を、前記支払側端末を介して前記受取側端末に返信する残高変更応答返信手段と、
を具備したことを特徴とする情報処理サーバ。
【請求項２】
前記受取側端末から要求情報を取得した場合に該要求情報に対応するレスポンスに必要な情報を一時記憶手段から読み出して該受取側端末に返信する手段を具備する前記支払側端末から、識別情報を取得する識別情報取得手段と、
前記取得した識別情報に対応付けて前記記憶手段に記憶しているレスポンスに必要な情報を前記支払側端末に送信し、前記一時記憶手段に記憶させる手段と、
をさらに具備したことを特徴とする請求項１に記載の情報処理サーバ。
【請求項３】
前記記憶手段は、電子バリューの種類ごとに残高を記憶することが可能であり、
前記受取側端末から送信されるデータに基づいて電子バリューの種類を特定する種類特定手段をさらに具備し、
前記残高更新手段が、前記支払側端末に対応付けて前記記憶手段に記憶されている電子バリューのうち前記特定した種類に対応する電子バリューの残高を更新する、ことを特徴とする請求項１又は請求項２に記載の情報処理サーバ。
【請求項４】
前記記憶手段は、電子バリューの種類ごとに残高を記憶することが可能であり、
前記受取側端末から送信されるデータに基づいて電子バリューの種類を特定する種類特定手段をさらに具備し、
前記残高更新手段が、前記支払側端末に対応付けて前記記憶手段に記憶されている電子バリューのうち前記特定した種類に対応しない電子バリューの残高を更新し、
前記特定した電子バリューの種類を含む資金移動情報を出力する資金移動情報出力手段をさらに具備する、ことを特徴とする請求項１又は請求項２に記載の情報処理サーバ。
【請求項５】
オフラインによる決済を受け付ける受取側端末から支払側端末に対して送信されたオフラインによる決済にかかる残高変更命令を、該支払側端末から取得する残高変更命令取得ステップと、
前記取得した残高変更命令に基づいて、電子バリューの残高を記憶する記憶手段に前記支払側端末に対応付けて管理されている電子バリューの残高を更新する残高更新ステップと、
前記取得した残高変更命令に対する、管理されている電子バリューの残高変更応答を、前記支払側端末を介して前記受取側端末に返信する残高変更応答返信ステップと、
を具備したことを特徴とする、コンピュータによる情報処理方法。
【請求項６】
オフラインによる決済を受け付ける受取側端末から支払側端末に対して送信されたオフラインによる決済にかかる残高変更命令を、該支払側端末から取得する残高変更命令取得機能と、
前記取得した残高変更命令に基づいて、電子バリューの残高を記憶する記憶手段に前記支払側端末に対応付けて管理されている電子バリューの残高を更新する残高更新機能と、
前記取得した残高変更命令に対する、管理されている電子バリューの残高変更応答を、前記支払側端末を介して前記受取側端末に返信する残高変更応答返信機能と、
をコンピュータに実現させる情報処理プログラム。
【請求項７】
オフラインによる決済を受け付ける受取側端末から支払側端末に対して送信されたオフラインによる決済にかかる残高変更命令を、該支払側端末から取得する残高変更命令取得機能と、
前記取得した残高変更命令に基づいて、電子バリューの残高を記憶する記憶手段に前記支払側端末に対応付けて管理されている電子バリューの残高を更新する残高更新機能と、
前記取得した残高変更命令に対する、管理されている電子バリューの残高変更応答を、前記支払側端末を介して前記受取側端末に返信する残高変更応答返信機能と、
をコンピュータに実現させる情報処理プログラムが記録された記録媒体。
【請求項８】
固有の識別情報を情報処理サーバに送信する識別情報送信手段と、
オフラインによる決済を受け付ける受取側端末から送信されたオフラインによる決済にかかる残高変更命令を前記情報処理サーバに転送し、電子バリューの残高を記憶する記憶手段に前記識別情報に対応付けて管理されている電子バリューの残高を更新させる残高変更命令転送手段と、
前記残高変更命令に対して前記情報処理サーバから送信された残高変更応答を前記受取側端末に転送する残高変更応答転送手段と、
を具備したことを特徴とする携帯端末。
【請求項９】
前記識別情報に対応付けて記憶手段に記憶されているレスポンスに必要な情報を前記情報処理サーバから取得し一時記憶手段に記憶させる手段と、
前記受取側端末から要求情報を取得した場合に該要求情報に対応するレスポンスに必要な情報を前記一時記憶手段から読み出して該受取側端末に返信する手段と、
をさらに具備したことを特徴とする請求項８に記載の携帯端末。
【請求項１０】
外部から入力される認証情報に基づいて支払元を認証する認証手段をさらに具備し、
前記識別情報送信手段は、前記認証手段による認証が成功した場合に限り、前記識別情報を前記情報処理サーバに送信する、ことを特徴とする請求項８又は請求項９に記載の携帯端末。
【請求項１１】
固有の識別情報を情報処理サーバに送信する識別情報送信ステップと、
オフラインによる決済を受け付ける受取側端末から送信されたオフラインによる決済にかかる残高変更命令を前記情報処理サーバに転送し、電子バリューの残高を記憶する記憶手段に前記識別情報に対応付けて管理されている電子バリューの残高を更新させる残高変更命令転送ステップと、
前記残高変更命令に対して前記情報処理サーバから送信された残高変更応答を前記受取側端末に転送する残高変更応答転送ステップと、
を具備したことを特徴とする、携帯型コンピュータによる情報処理方法。
【請求項１２】
固有の識別情報を情報処理サーバに送信する識別情報送信機能と、
オフラインによる決済を受け付ける受取側端末から送信されたオフラインによる決済にかかる残高変更命令を前記情報処理サーバに転送し、電子バリューの残高を記憶する記憶手段に前記識別情報に対応付けて管理されている電子バリューの残高を更新させる残高変更命令転送機能と、
前記残高変更命令に対して前記情報処理サーバから送信された残高変更応答を前記受取側端末に転送する残高変更応答転送機能と、
を携帯型コンピュータに実現させる携帯端末用プログラム。
【請求項１３】
固有の識別情報を情報処理サーバに送信する識別情報送信機能と、
オフラインによる決済を受け付ける受取側端末から送信されたオフラインによる決済にかかる残高変更命令を前記情報処理サーバに転送し、電子バリューの残高を記憶する記憶手段に前記識別情報に対応付けて管理されている電子バリューの残高を更新させる残高変更命令転送機能と、
前記残高変更命令に対して前記情報処理サーバから送信された残高変更応答を前記受取側端末に転送する残高変更応答転送機能と、
を携帯型コンピュータに実現させる携帯端末用プログラムが記録された記録媒体。
【手続補正２】
【補正対象書類名】明細書
【補正対象項目名】０００７
【補正方法】変更
【補正の内容】
【０００７】
決済端末９１は、このようにしてログデータを蓄積しておき、後ほど（例えば、１日に１回程度）バッチ処理にて電子マネーサーバ２にログデータを送信する（ステップ６５）。電子マネーサーバ２は、決済端末９１からログデータを受信して記録する（ステップ７０）。
このように、従来例では、バリューの残高を電子マネーカード９２に記録しておき、これを決済端末９１との間でローカルに処理していた。したがって、従来例は、電子マネーサーバ２側で残高をリアルタイムで管理していない。
【手続補正３】
【補正対象書類名】明細書
【補正対象項目名】０００８
【補正方法】変更
【補正の内容】
【０００８】
一方、特許文献１の「サーバ管理型決済システム」では、プリペイドカードに対応付けて電子バリューの残高をサーバに記録し、店舗に設置したカードリーダでプリペイドカードを読み取って、当該プリペイドカードに対応付けてサーバに記録されている電子バリューの残高で決済する技術が開示されている。
【手続補正４】
【補正対象書類名】明細書
【補正対象項目名】０００９
【補正方法】変更
【補正の内容】
【０００９】
特許文献１の技術では、サーバ側で管理される残高を確認するため、決済時に決済端末をサーバにオンライン接続する。したがって、この技術は、物理的環境、コストパフォーマンス等の観点から、オンライン接続機能を有する決済端末を設置することができない場合に適用できない。
【手続補正５】
【補正対象書類名】明細書
【補正対象項目名】００１２
【補正方法】変更
【補正の内容】
【００１２】
請求項１に記載の発明では、オフラインによる決済を受け付ける受取側端末から支払側端末に対して送信されたオフラインによる決済にかかる残高変更命令を、該支払側端末から取得する残高変更命令取得手段と、前記取得した残高変更命令に基づいて、電子バリューの残高を記憶する記憶手段に前記支払側端末に対応付けて管理されている電子バリューの残高を更新する残高更新手段と、前記取得した残高変更命令に対する、管理されている電子バリューの残高変更応答を、前記支払側端末を介して前記受取側端末に返信する残高変更応答返信手段と、を具備したことを特徴とする情報処理サーバを提供する。
請求項２に記載の発明では、前記受取側端末から要求情報を取得した場合に該要求情報に対応するレスポンスに必要な情報を一時記憶手段から読み出して該受取側端末に返信する手段を具備する前記支払側端末から、識別情報を取得する識別情報取得手段と、前記取得した識別情報に対応付けて前記記憶手段に記憶しているレスポンスに必要な情報を前記支払側端末に送信し、前記一時記憶手段に記憶させる手段と、をさらに具備したことを特徴とする請求項１に記載の情報処理サーバを提供する。
請求項３に記載の発明では、前記記憶手段は、電子バリューの種類ごとに残高を記憶することが可能であり、前記受取側端末から送信されるデータに基づいて電子バリューの種類を特定する種類特定手段をさらに具備し、前記残高更新手段が、前記支払側端末に対応付けて前記記憶手段に記憶されている電子バリューのうち前記特定した種類に対応する電子バリューの残高を更新する、ことを特徴とする請求項１又は請求項２に記載の情報処理サーバを提供する。
請求項４に記載の発明では、前記記憶手段は、電子バリューの種類ごとに残高を記憶することが可能であり、前記受取側端末から送信されるデータに基づいて電子バリューの種類を特定する種類特定手段をさらに具備し、前記残高更新手段が、前記支払側端末に対応付けて前記記憶手段に記憶されている電子バリューのうち前記特定した種類に対応しない電子バリューの残高を更新し、前記特定した電子バリューの種類を含む資金移動情報を出力する資金移動情報出力手段をさらに具備する、ことを特徴とする請求項１又は請求項２に記載の情報処理サーバを提供する。
請求項５に記載の発明では、オフラインによる決済を受け付ける受取側端末から支払側端末に対して送信されたオフラインによる決済にかかる残高変更命令を、該支払側端末から取得する残高変更命令取得ステップと、前記取得した残高変更命令に基づいて、電子バリューの残高を記憶する記憶手段に前記支払側端末に対応付けて管理されている電子バリューの残高を更新する残高更新ステップと、前記取得した残高変更命令に対する、管理されている電子バリューの残高変更応答を、前記支払側端末を介して前記受取側端末に返信する残高変更応答返信ステップと、具備したことを特徴とする、コンピュータによる情報処理方法を提供する。
請求項６に記載の発明では、オフラインによる決済を受け付ける受取側端末から支払側端末に対して送信されたオフラインによる決済にかかる残高変更命令を、該支払側端末から取得する残高変更命令取得機能と、前記取得した残高変更命令に基づいて、電子バリューの残高を記憶する記憶手段に前記支払側端末に対応付けて管理されている電子バリューの残高を更新する残高更新機能と、前記取得した残高変更命令に対する、管理されている電子バリューの残高変更応答を、前記支払側端末を介して前記受取側端末に返信する残高変更応答返信機能と、コンピュータに実現させる情報処理プログラムを提供する。
請求項７に記載の発明では、オフラインによる決済を受け付ける受取側端末から支払側端末に対して送信されたオフラインによる決済にかかる残高変更命令を、該支払側端末から取得する残高変更命令取得機能と、前記取得した残高変更命令に基づいて、電子バリューの残高を記憶する記憶手段に前記支払側端末に対応付けて管理されている電子バリューの残高を更新する残高更新機能と、前記取得した残高変更命令に対する、管理されている電子バリューの残高変更応答を、前記支払側端末を介して前記受取側端末に返信する残高変更応答返信機能と、をコンピュータに実現させる情報処理プログラムが記録された記録媒体を提供する。
請求項８に記載の発明では、固有の識別情報を情報処理サーバに送信する識別情報送信手段と、オフラインによる決済を受け付ける受取側端末から送信されたオフラインによる決済にかかる残高変更命令を前記情報処理サーバに転送し、電子バリューの残高を記憶する記憶手段に前記識別情報に対応付けて管理されている電子バリューの残高を更新させる残高変更命令転送手段と、前記残高変更命令に対して前記情報処理サーバから送信された残高変更応答を前記受取側端末に転送する残高変更応答転送手段と、を具備したことを特徴とする携帯端末を提供する。
請求項９に記載の発明では、前記識別情報に対応付けて記憶手段に記憶されているレスポンスに必要な情報を前記情報処理サーバから取得し一時記憶手段に記憶させる手段と、前記受取側端末から要求情報を取得した場合に該要求情報に対応するレスポンスに必要な情報を前記一時記憶手段から読み出して該受取側端末に返信する手段と、をさらに具備したことを特徴とする請求項８に記載の携帯端末を提供する。
請求項１０に記載の発明では、外部から入力される認証情報に基づいて支払元を認証する認証手段をさらに具備し、前記識別情報送信手段は、前記認証手段による認証が成功した場合に限り、前記識別情報を前記情報処理サーバに送信する、ことを特徴とする請求項８又は請求項９に記載の携帯端末を提供する。
請求項１１に記載の発明では、固有の識別情報を情報処理サーバに送信する識別情報送信ステップと、オフラインによる決済を受け付ける受取側端末から送信されたオフラインによる決済にかかる残高変更命令を前記情報処理サーバに転送し、電子バリューの残高を記憶する記憶手段に前記識別情報に対応付けて管理されている電子バリューの残高を更新させる残高変更命令転送ステップと、前記残高変更命令に対して前記情報処理サーバから送信された残高変更応答を前記受取側端末に転送する残高変更応答転送ステップと、を具備したことを特徴とする、携帯型コンピュータによる情報処理方法を提供する。
請求項１２に記載の発明では、固有の識別情報を情報処理サーバに送信する識別情報送信機能と、オフラインによる決済を受け付ける受取側端末から送信されたオフラインによる決済にかかる残高変更命令を前記情報処理サーバに転送し、電子バリューの残高を記憶する記憶手段に前記識別情報に対応付けて管理されている電子バリューの残高を更新させる残高変更命令転送機能と、前記残高変更命令に対して前記情報処理サーバから送信された残高変更応答を前記受取側端末に転送する残高変更応答転送機能と、を携帯型コンピュータに実現させる携帯端末用プログラムを提供する。
請求項１３に記載の発明では、固有の識別情報を情報処理サーバに送信する識別情報送信機能と、オフラインによる決済を受け付ける受取側端末から送信されたオフラインによる決済にかかる残高変更命令を前記情報処理サーバに転送し、電子バリューの残高を記憶する記憶手段に前記識別情報に対応付けて管理されている電子バリューの残高を更新させる残高変更命令転送機能と、前記残高変更命令に対して前記情報処理サーバから送信された残高変更応答を前記受取側端末に転送する残高変更応答転送機能と、を携帯型コンピュータに実現させる携帯端末用プログラムが記録された記録媒体を提供する。
【手続補正６】
【補正対象書類名】明細書
【補正対象項目名】００１６
【補正方法】変更
【補正の内容】
【００１６】
オフライン決済端末７は、常時接続機能を備えておらず、決済の都度電子マネーサーバ２と直接通信することはできない。一方、携帯端末５は、インターネット３を介して電子マネーサーバ２に接続することができる。
そこで、オフライン決済端末７は、決済時に携帯端末５の通信ネットワーク接続機能を用い、携帯端末５を中継機として電子マネーサーバ２に接続する。
このようにして電子マネーサーバ２は、オフライン決済端末７と接続し、携帯端末５の口座のバリューを用いて決済することができる。
【手続補正７】
【補正対象書類名】明細書
【補正対象項目名】００２４
【補正方法】変更
【補正の内容】
【００２４】
オフライン決済端末７は、例えば、ネットワーク設備の十分でない店舗や自動販売機などに設置されており、携帯端末５と近距離無線通信する機能を備えている。オフライン決済端末７は、通信回線８に常時接続しておらず、この実施の形態では、決済処理の都度携帯端末５を介して電子マネーサーバ２に接続する。
【手続補正８】
【補正対象書類名】明細書
【補正対象項目名】００６０
【補正方法】変更
【補正の内容】
【００６０】
以上に説明したように、オフライン決済端末７は、常時接続機能を有しないが、携帯端末５のネットワーク接続機能を利用することにより電子マネーサーバ２とネットワーク接続することができる。
また、電子マネーサーバ２は、オフライン決済端末７に対して従来例の電子マネーカード９２と同様の情報を返すため、オフライン決済端末７は、あたかも従来の電子マネーカード９２と通信しているのと同様となる。即ち、オフライン決済端末７は、従来のプロトコルを用いて通信することができる。そのため、従来例の決済端末９１をオフライン決済端末７として利用することが可能となり、設備投資のコストを低減することができる。